(57)【要約】  【課題】  大型の可変図柄表示装置を設置しても遊技球の挙動が単調になるのを防止し、複雑なパチンコゲームを備えたものに対しても遊技者が安心してゲームを行なえ、遊技者の多様なニーズにも応じられるパチンコ機を提供する。  【解決手段】  遊技盤７の遊技領域内８に、可変図柄表示装置５０が設けられ、可変図柄表示装置５０の停止図柄の態様に応じて遊技するようになったパチンコ遊技機１において、可変図柄表示装置５０の表示部には、遊技情報を表示する主表示部５１と、該遊技情報以外の遊技ガイドや遊技中の得点、テレビ映像、ＣＭ等が表示される副表示部５２とを備え、可変図柄表示装置５０は、前記遊技盤に向かって右側へ振らせて設けると共に主表示部５１の中心軸線５１ａを該遊技盤遊技領域８の中心軸線８ａにほぼ合わせて設けた。  【選択図】    図２
2006158638.tif 000002
【特許請求の範囲】
【請求項１】
遊技球が打ち込まれる遊技盤の遊技領域内に、遊技情報を表示する可変図柄表示装置が設けられたパチンコ遊技機において、前記可変図柄表示装置の表示部には、前記遊技情報を表示する主表示部と、該主表示部で表示される以外の情報を表示する副表示部とを備え、前記可変図柄表示装置は、前記遊技盤に向かって何れかの側へ振らせて設けると共に、前記主表示部の中心軸線を該遊技盤遊技領域の中心軸線にほぼ合わせて設けたことを特徴とするパチンコ遊技機。
【請求項２】
前記副表示部で表示される情報は、前記主表示部で表示される以外の遊技情報や遊技情報に付随した情報、遊技ガイド、遊技中の得点、テレビ映像、コマーシャル、等を表示するようにしたことを特徴とする請求項１記載のパチンコ遊技機。
【発明の詳細な説明】
【技術分野】
【０００１】
本発明は、遊技盤の遊技領域に遊技に関する情報を表示する可変表示装置が設けられ、この可変表示装置の停止図柄態様に応じて遊技状態が大きく変化するようになったパチンコ遊技機に関するものである。
【背景技術】
【０００２】
パチンコ遊技機として、複数種類の文字や図柄を変動表示可能な可変図柄表示装置を備えたパチンコ機が数多く知られている。この種のパチンコ遊技機では、可変表示部での図柄停止時の停止図柄に応じて各種の遊技状態、例えば大当たりが得られ、遊技領域内にある大入賞口入口の開閉部材が、所定時間又は所定個数の遊技球が入賞するまで開成し、更に大入賞口の開閉部材が開いている間に、大入賞口内の継続入賞口（Ｖ入賞口）に入賞すると、更にこの開閉部材の開閉が所定回数、例えば１６ラウンド開閉が行なわれて特別遊技状態が継続するパチンコ遊技機が一般に知られている。
【０００３】
ところで上記遊技盤に設置された可変図柄表示装置は、上記のごとく大当りの成立に大きく係わり、遊技者はこの可変図柄表示装置の図柄表示や、遊技盤上に打ち込まれた遊技球の行方に注目して遊技が行なわる。また近年では、多種多様なキャラクタや背景画像をこの可変図柄表示装置にカラフルに表示して興趣を高めることが行われている。更にこの図柄可変表示装置は大型化されてきており、キャラクタや背景画像の動きと併せ、図柄内容によって遊技機前面のボタンを押すようにしたり、特定の入賞口へ入賞させたりして、趣向を凝らしたパチンコ機種も登場している。
【０００４】
本願の先行技術文献として次のものがある。
【特許文献１】特開平１１−２７６６７１号
【特許文献２】特開平０８−１４１１７２号
【発明の開示】
【発明が解決しようとする課題】
【０００５】
しかしながら、所定の大きさ内の遊技領域に設置する前記可変図柄表示装置が大型化すると、遊技盤の遊技領域内に占める可変図柄表示装置の占める面積が大きくなり、図柄表示装置以外の遊技に携わる役物の配置に制約を受ける。例えば大型化した可変図柄表示装置を遊技盤遊技領域の中央に設けると、遊技球が転動流下する遊技領域が狭められ、この狭められた遊技領域に入賞口や遊技球の進路を変化させる風車等の役物を配置するのが困難になり、遊技盤に打ち込まれた遊技球の進路に変化を与えることが難しくなり、この結果遊技球の挙動が単調になってしまう傾向にある。
【０００６】
また遊技領域の上部で例えば可変図柄表示装置の上部や側部に入球口を設け、この入球口から可変図柄表示装置の内部に流下通路を設け、出口をその下部の始動口近くへ落下するように設けた場合は、遊技球の落下経路の予測が容易になって、上記図柄表示装置の入球口への狙い打ちが行なわれ、このため入球口に入らなかった遊技球については遊技者の関心が薄れてしまい、遊技球の流下経路が変化に富み、偶然性のある遊技が行なわれ難い問題があった。
【０００７】
また上記のごとく近年では、可変図柄表示装置に表示される組合わせ図柄によって、決められた入賞口に入賞させたり、遊技機に設けた操作ボタンを操作して、更に発展性のある遊技が行なえるようにした機種も見られる。このような複雑な遊技機では遊技の初心者にとっては判り難く、とっつき難い問題もあった。
更にまた、パチンコ遊技中にニュースや野球中継、人気ドラマの行方等もチェックしたいという欲求をもつ遊技者もいる。
【０００８】
本発明は上記の課題を解決すべく発明されたパチンコ遊技機であって、遊技盤遊技領域に大型の可変図柄表示装置を設置しても、上記のような遊技領域が狭められることによる遊技球の挙動が単調になるのを防止し、近年の興趣ある複雑なパチンコゲームを備えたものに対しても、遊技者が安心してゲームを行なえるようにし、また遊技者の多様なニーズにも応じられるパチンコ機を提供することを目的としている。
【課題を解決するための手段】
【０００９】
本発明は上記の目的を達成するためになされたものであって、即ち本発明の請求項１の発明は、遊技球が打ち込まれる遊技盤の遊技領域内に、遊技情報を表示する可変図柄表示装置が設けられたパチンコ遊技機において、前記可変図柄表示装置の表示部には、前記遊技情報を表示する主表示部と、該主表示部で表示される以外の情報を表示する副表示部とを備え、前記可変図柄表示装置は、前記遊技盤に向かって何れかの側へ振らせて設けると共に、前記主表示部の中心軸線を該遊技盤遊技領域の中心軸線にほぼ合わせて設けたことを特徴とするパチンコ遊技機である。
また本発明の請求項２の発明は上記において、前記副表示部で表示される情報は、前記主表示部で表示される以外の遊技情報や遊技情報に付随した情報、遊技ガイド、遊技中の得点、テレビ映像、コマーシャル、等を表示するようにしたことを特徴とするパチンコ遊技機である。
【発明の効果】
【００１０】
本発明によれば、可変図柄表示装置の表示部に主表示部と副表示部を設けてあり、前記主表示部では通常の遊技情報を、前記副表示部では前記主表示部で表示される情報以外の情報を表示するようになっている。このため遊技者にとっては、主表示部と副表示部の２画面をみてゲームを行なえる。例えば副表示部で遊技の進行状況に合わせた大当りの確率状況や遊技のガイド、遊技中の得点が表示されるようにした場合は、複雑なパチンコゲームを備えた機種であっても、ゲーム案内が表示され、遊技中のゲームに関する情報、確率状況案内や遊技者が獲得した得点状況が表示され、初心者で慣れない機械や複雑なゲーム内容の機械であっても、安心してパチンコゲームを行なうことができる。
更に遊技中にパチンコゲーム以外の情報も遊技者の好みに応じてチェックできるので、遊技場ホール側にとっても、例えばプロ野球中継中で、遊技者の集客に影響が出るなどの問題も防止される。
【００１１】
更に本発明によれば、大型の可変図柄表示装置を設けても、ゲーム情報を表示する主表示部の中心軸線が遊技領域のほぼ中心線に設けてあるので、機械の正面に座ってゲームを行なう遊技者にとって、正面の主表示部を注視してゲームすることができる。更に可変図柄表示装置全体は遊技盤に向かって遊技領域の何れかの側へ振らせて設けられているので、振らせた反対側に広い遊技領域ができ、遊技球が転動流下する面積が従来より大きく確保でき、この広く空いた遊技領域に遊技球の流下挙動に変化を与える障碍釘や風車等の役物を配置することができ、パチンコ機本来の遊技球の流下挙動に面白味ができる。このため図柄表示装置の図柄とも併せて遊技球の挙動を楽しめるパチンコ遊技機が提供できる。
【発明を実施するための最良の形態】
【００１２】
以下、本発明の一実施形態につき、図面に基づいて説明する。
図１はパチンコ機１の前部を示す斜視図であって、パチンコ機１には、木製の外枠２があり、外枠２の左上に連結部３があり、左下に本体枠連結金具１６があり、中枠５が左上連結部３に、また左下の本体枠連結金具１６に枢着され、外枠２の左側縁に対して片開き自在に設けられている。中枠５内に略四角形状の遊技盤７やパチンコ機の内部機構が設けられている。
【００１３】
さらに、中枠５の前面であって、遊技盤７の前面にはガラス板などの透明板を装着した略円形状の窓体６を有す前面扉１０が左側の連結部３と連結金具４を軸に開閉自在に設けられている。即ち前面扉１０の透明板の後方は遊技盤７であり、遊技盤内に遊技領域８が形成されている。前面扉１０の下部に供給皿１２を備えた上受け皿枠１１が、また上受け皿枠１１の下部に貯留皿１４と灰皿１５とを備えた下受け皿枠１３が、左側の各連結金具に支持されて開閉自在に取り付けられている。木製外枠２の左側端に設けられているのはプリペイドカードユニット９である。２２はランプ飾りで遊技状態によって点灯表示される。２３は遊技球が不足していることを知らせる表示ランプ、２４は品質証紙を表示する表示窓である。
下部貯留皿１４の右手に発射ハンドル２５を設けてあり、内部の遊技球発射装置に連結され、供給皿１２から供給された遊技球が遊技盤７の上部へ向けて発射する。また下受け皿枠１３の内部に遊技状態を音声で報知するスピーカが備えられている。
【００１４】
図２は遊技盤７の正面図である。内レール３０と外レール３１で遊技球が転動流下する遊技領域８が設けられ、遊技球発射装置で発射された遊技球は、内レール３０及び外レール３１に沿って遊技領域８の上部へ発射される。遊技領域８内には可変図柄表示装置５０、その下部には始動口３２、その下部に大入賞口３３が設けられている。始動口３２は遊技球の入賞口となっており入口にはチューリップ３４が開閉可能に設けられている。
【００１５】
大入賞口３３はその入り口をソレノイドにより開閉作動する開閉板３３ａが設けられている。大入賞口の内部には継続入賞口（Ｖ入賞口）が設けられ、遊技球が入賞すると内部の継続入賞口又は入賞通路のいずれかに振り分けられる。
３５は普通入賞口で、夫々定められた数の賞球が払い出される。３６は通過ゲートで、通過ゲート通過を検出して各種の役割を担うようになっている。３７は遊技盤８に所定の配置で打設された障害釘で、本実施例では中央部右側に設置された可変図柄表示装置５０の右側へ遊技球が行かないように、発射された遊技球は常に表示装置５０の左側を転動流下するように障害釘３７によって遮断され、遊技領域に発射された遊技球は可変図柄表示装置５０の左側へ案内される。
【００１６】
遊技領域８の中央付近に大型横長液晶の可変図柄表示装置５０が組込まれている。この可変図柄表示装置５０はＬＣＤ装置で構成され、横長状液晶画面の対角線の長さが約１０インチある表示部を備えている。この表示部の左側画面は遊技情報を表示する主表示部５１となっており、その右側に主表示部で表示される以外の遊技情報や遊技ガイド、遊技中の得点、テレビ映像、ＣＭ、等を表示する副表示部５２を設けている。また表示部５１、５２全体の周囲は樹脂製飾りのセンターフレームに設けられている。
上記の主表示部５１の中心軸線５１ａは遊技領域８の中心軸線の８ａとほぼ合致させており、主表示部５１の右側画面は副表示部５２となっている。これによって遊技者が注視する主画面の主表示部５１は遊技盤遊技領域の中央軸線状にあり、遊技者にとっても主表示部５１を正視できるので、首を曲げて見る必要がなく、疲れたりすることなく遊技が行なえる。
【００１７】
主表示部５１には例えば遊技情報として複数の図柄列が表示される。本実施例では図柄列として３つの文字図柄が可変表示され、例えば３列の文字図柄列が水平方向または斜め方向に同じ文字または図柄が揃った場合に大当たりが発生するように構成されている。図柄列の数としては上記３列以外に４列または５列の図柄列が表示されるようになっていても良い。
この主表示部５１は、遊技領域８内の始動口３２へ遊技球が入賞するのに基づいて各図柄列が変動表示を開始する。また図柄変動表示中に新たに遊技球が始動口３２に入賞した場合は、その分の変動表示はその時点で行われている図柄変動表示が終了した後に行われる。つまり変動表示が保留され、この保留される変動表示は保留ランプ５３の点灯で表示される。通常保留の最大回数が４回に設定されており、保留ランプ５３は、保留に応じた変動表示が実行されると消灯する。
【００１８】
上記可変表示装置５０の右側画面は副表示部５２となっている。この副表示部５２には上記主表示部５１で表示される以外の遊技情報や遊技ガイド、遊技中の遊技者の得点、テレビ映像、ＣＭ、等が表示されるようになっている。例えば左側の主表示部５１でのゲームに応じて、例えば副表示部で遊技の進行状況に合わせた大当りの確率状況や遊技のガイド、遊技中の得点が表示され、複雑なパチンコゲームを備えた機種であっても、ゲーム案内が表示され、遊技中のゲームに関する情報、確率状況案内や遊技者が獲得した得点状況が表示され、初心者で慣れない機械や複雑なゲーム内容の機械であっても、安心してパチンコゲームを行なうことができる。
更にこの副表示部５２よって遊技の初心者であっても、どこの入賞口へ入賞させなさいとか、どこの通過口を通過させなさい等、遊技上の案内を表示する。また表示切替ボタンによってゲームを始めてからの得点状況を表示させたり、またテレビチューナを接続してテレビ番組を表示させたり、遊技場ホール内の案内やコマーシャルを表示され、遊技の案内が表示されるので安心して遊技ができ、また画面の切換え選択によって各種テレビニュース等をチェックでき、遊技者が安心してプレーできる。
【００１９】
本発明では一実施例として大入賞口３３を有すパチンコ機について説明したが、例えば遊技領域の下部に多数の入賞口を有す雀球やアレンジボール式パチンコ機にも適用でき、更にパチンコ機とスロット機とが融合した遊技機で、遊技球を用いてスロットゲームを行なうパロット機等の遊技機にも適用が可能である。
【図面の簡単な説明】
【００２０】
【図１】本発明の一実施例を示すパチンコ機の前部を示す斜視図である。
【図２】遊技盤７の正面を示す図である。
【符号の説明】
【００２１】
１  パチンコ機１                    ２  外枠
３  左上連結部                      ４  連結金具
５  中枠                            ６  窓体
７  遊技盤                          ８  遊技領域
８ａ  遊技領域の中心軸線            
９  プリペイドカードユニット        １０  前面扉
１１  上受け皿枠                    １２  供給皿
１３  下受け皿枠                    １４  貯留皿
１５  灰皿                          ２２  ランプ飾り
２３  表示ランプ                    ２４  表示窓
３０  内レール                      ３１  外レール
３２  始動口                        ３３  大入賞口
３３ａ  大入賞口の開閉板            ３４  チューリップ
３５  普通入賞口                    ３６  通過ゲート
３７  障害釘                        ５０  可変図柄表示装置
５１  主表示部                      ５１ａ  主表示部の中心軸線
５２  副表示部                      ５３  保留ランプ
【図１】
2006158638.tif 000003
【図２】
2006158638.tif 000004